(57)【要約】【課題】ケーブル引出し口においては、ケーブル径、ケーブル本数が異なる場合やコネクタ部が大きい場合には、ケーブルブラケットを複数段用意しなければならないという問題があった。【解決手段】電子機器装置の筐体１の所定位置に設けた正方形状のケーブル引出し口２と、三角形状の切欠き５を有し、筐体１に摺動可能に固定されたケーブルブラケット４とを備え、ケーブルブラケット４をケーブル引出し口２の対角線方向に摺動させることによりケーブル引出し口２と切欠き５とで形成される開口部８の大きさを可変にしたものである。【選択図】図１
2009094260.tif 000002
【特許請求の範囲】
【請求項１】
電子機器装置の筐体の所定位置に設けたケーブル引出し口と、切欠きを有し、前記筐体に摺動可能に固定され、前記ケーブル引出し口と切欠きとで形成される開口部の大きさを可変にするケーブルブラケットとを備えたことを特徴とするケーブル引出し口構造。
【請求項２】
前記ケーブル引出し口は正方形状又は菱形状に形成され、前記切欠きは三角形状に形成され、前記切欠きの両側に長孔が形成されたことを特徴とする請求項１記載のケーブル引出し口構造。
【請求項３】
前記ケーブルブラケットは前記ケーブル引出し口の対角線方向に摺動可能に前記長孔を固定ネジに係合させて前記筐体に固定されることを特徴とする請求項２記載のケーブル引出し口構造。
【請求項４】
ケーブルが接触する側の前記ケーブル引出し口の角部及び前記ケーブルが接触する側の前記切欠きの角部を円弧状に形成したことを特徴とする請求項３記載のケーブル引出し口構造。
【請求項５】
前記ケーブル引出し口は少くてもケーブルに接続されたコネクタ部が挿通する大きさを有することを特徴とする請求項１〜４のいずれかに記載のケーブル引出し口構造。
【発明の詳細な説明】
【技術分野】
【０００１】
本発明は、電子機器装置のケーブル引出し口構造に関するものである。
【背景技術】
【０００２】
電子機器装置のケーブル引出し口においては、ケーブルを挿入した後の隙間が大きいと、ねずみや虫等の侵入による害、強制空冷による塵埃の吸い込みや冷却効果の低下等を生じさせる恐れがあった。
そのため、電子機器装置の筐体の一側板両下隅に一定間隔をおいて対設され、引出し本数が増減する一対のケーブル引出し口構造であって、ケーブル引出し口の開口部を閉塞するためのケーブルブラケットを前記側板に摺動可能に連接したケーブル引出し口構造が提案されている（特許文献１参照）。
【特許文献１】特開平１０−１７３３６７号公報
【発明の開示】
【発明が解決しようとする課題】
【０００３】
しかしながら、特許文献１記載の装置では、以下に示すような課題があった。
１．ケーブル径、ケーブル本数が異なる場合に対処するためには、ケーブルブラケットを複数段用意する必要があった。
２．ケーブル径は細いが、コネクタ部が大きい場合には、たとえ使用するケーブル本数が少くても、大きなコネクタ部が通過するだけの開口部を必要とするため、やはり、ケーブルブラケットは複数段必要であった。
【課題を解決するための手段】
【０００４】
上記した課題を解決するため、本発明は、電子機器装置の筐体の所定位置に設けたケーブル引出し口と、切欠きを有し、筐体に摺動可能に固定され、ケーブル引出し口と切欠きとで形成される開口部の大きさを可変にするケーブルブラケットとを備えたものである。
【発明の効果】
【０００５】
本発明は筐体の所定位置に設けたケーブル引出し口とケーブルブラケットに設けた切欠きとで形成される開口部の大きさを、ケーブルブラケットを摺動させることにより可変にしたので、１つのケーブルブラケットでケーブル径やケーブル本数が異なる場合にも、コネクタ部が大きい場合でも、またそれらが混合されていても対応することができる。
【発明を実施するための最良の形態】
【０００６】
電子機器装置の筐体の所定位置に設けた正方形状のケーブル引出し口と、三角形状の切欠きを有し、筐体に摺動可能に固定され、ケーブル引出し口と切欠きとで形成される開口部の大きさを可変にするケーブルブラケットとを備え、１つのケーブルブラケットを摺動させることにより、ケーブル径やケーブル本数が異なる場合、コネクタ部が大きい場合、それらが混合されている場合のいずれにも対応できることを実現した。
【実施例１】
【０００７】
図１は本発明の実施例１を示す斜視図で、（ａ）はケーブルブラケットを筐体のケーブル引出し口に取り付ける状態を示し、（ｂ）ケーブル引出し口とケーブルブラケットの切欠きとで形成される開口部を説明するためのものである。
電子機器装置の筐体１の所定位置例えば底板にケーブル引出し口２が設けられている。このケーブル引出し口２は正方形状で、筐体１の正面から見て正方形を４５°傾けた状態に孔をあけたものである。ケーブル引出し口２の両側にはネジ穴３が設けられている。
説明の都合上、筐体１は上扉や前扉等を省略して示している。
【０００８】
ケーブルブラケット４は板状に形成されたもので、中央部に三角形状の切欠き５を設け、切欠き５の両側には長孔６が形成されている。
ケーブルブラケット４を筐体１のケーブル引出し口２の部分に取り付けるには、固定ネジ７をそれぞれケーブルブラケット４の２つの長孔６に通し、筐体１のネジ穴３に締め付けて固定する。
【０００９】
ケーブルブラケット４は、長孔６に固定ネジ７が係合しているので、固定ネジ７を緩めることにより長孔６にガイドされて長孔６の長手方向に摺動可能になっている。ケーブルブラケット４の切欠き５の頂点が正方形状のケーブル引出し口２の対角線の方向に摺動する。
ケーブル引出し口２とケーブルブラケット４の切欠き５とで形成される開口部８は、ケーブルブラケット４を摺動させることによりその大きさを変えることができる。ケーブル引出し口２を正方形状、切欠き５を直角二等辺三角形状にした場合は、開口部８は概略正方形のままで面積を任意に変えることができる。
【００１０】
通常、コネクタ部はケーブルの径よりも大きいが（図６に例を示す）、これをケーブル引出し口２から外部に出す場合、コネクタ部がケーブル引出し口２を通過できないといけないため、ケーブルブラケット４を奥行きの矢印Ａ方向に摺動させ、ケーブル引出し口２と切欠き５とで形成される開口部８を広げておき、コネクタ部を通過させてからケーブルブラケット４を反対方向に摺動させ、開口部８を小さくする。ケーブルを何本も通す場合も開口部８を大きくして全部のケーブルをケーブル引出し口２に通してからケーブルブラケット４を反対方向に摺動させて開口部８を小さくする。
このようにしてケーブルやコネクタ部を通した後の開口部８を小さくすることにより、ケーブルを通した後のケーブル引出し口２の隙間を最小にすることができる。
【００１１】
図２は複数本のケーブルを通した後の状態を示す斜視図である。
ケーブル９の先端にはコネクタ部１０が取り付けられているので、図１の（ｂ）のようにケーブルブラケット４を矢印Ａ方向に摺動させ、開口部８を大きくしてコネクタ部１０を通し、その後ケーブルブラケット４を手前の矢印Ｂ方向に摺動させ、開口部８を小さくして径の異なる複数本のケーブル９を収容している。
【００１２】
図３はコネクタ部をケーブル引出し口に通す状態を示した平断面図である。
コネクタ部１０はケーブル９より大きいので、ケーブル引出し口２は少くともコネクタ部１０を挿通できるだけの大きさが必要である。詳細にはケーブル引出し口２とケーブルブラケット４の切欠き５とで形成される開口部８の最大の大きさがコネクタ部１０を通過させることができるようにする。
動作としては、固定ネジ７を緩めてケーブルブラケット４を矢印Ａ方向に移動させ、開口部８を大きくあけてコネクタ部１０を挿通すればよい。
【００１３】
図４は１本のケーブルを通した状態を示す平断面図である。
図３でコネクタ部１０を挿通した後、図４でケーブルブラケット４を矢印Ｂ方向に移動させ、固定ネジ７で固定して開口部８を小さくしている。この際、開口部８を小さくして余分な隙間を最小にするため、ケーブル９が接触する側のケーブル引出し口２の角部１１及び切欠き５の角部１２は円弧状に形成されている。
【００１４】
図５は複数本のケーブルを通した状態を示す平断面図である。
図４は１本のケーブル９を通しているが、図５は径の異なるケーブル９をそれぞれ複数本通し、ケーブルブラケット４を移動させて開口部８の大きさを小さくし、円弧状の角部１１，１２がケーブル９にフィットし、余分な隙間を最小にしている。
【００１５】
図６は大きさが異なるケーブルコネクタを示す斜視図である。
（ａ）〜（ｅ）はそれぞれ径の異なるケーブル９１〜９５、大きさの異なるコネクタ部１０１〜１０５の例を示している。
実施例１はこのようなケーブルコネクタに対しても、またそれらを複数混合した場合でも対応することができる。
なお、実施例１では電子機器装置の筐体内部の底板にケーブル引出し口を設けた例で説明しているが、底板に限らず側板でも良く、場所を特に限定するものではない。
【００１６】
以上のように実施例１によれば、電子機器装置の筐体の所定位置に設けたケーブル引出し口とケーブルブラケットに設けた切欠きとで形成される開口部の大きさを、ケーブルブラケットを摺動させることにより可変にしたので、１つのケーブルブラケットでケーブル径やケーブル本数が異なる場合にも、コネクタ部が大きい場合にも、またそれらが混合されてる場合にも対応することができる。
また、ケーブルが接触する側のケーブル引出し口の角部及び切欠きの角部を円弧状に形成したので、ケーブルブラケットを移動して固定する際、それぞれの角部がケーブルにフィットし、余分な隙間を最小にすることができる。
【図面の簡単な説明】
【００１７】
【図１】本発明の実施例１を示す斜視図である。
【図２】複数本のケーブルを通した状態を示す斜視図である。
【図３】コネクタ部を通す状態を示した平断面図である。
【図４】１本のケーブルを通した状態を示す平断面図である。
【図５】複数本のケーブルを通した状態を示す平断面図である。
【図６】大きさが異なるケーブルコネクタを示す斜視図である。
【符号の説明】
【００１８】
１                        筐体
２                        ケーブル引出し口
３                        ネジ穴
４                        ケーブルブラケット
５                        切欠き
６                        長孔
７                        固定ネジ
８                        開口部
９                        ケーブル
１０                      コネクタ部
１１，１２                角部
９１〜９５                ケーブル
１０１〜１０５            コネクタ部
【図１】
2009094260.tif 000003
【図２】
2009094260.tif 000004
【図３】
2009094260.tif 000005
【図４】
2009094260.tif 000006
【図５】
2009094260.tif 000007
【図６】
2009094260.tif 000008